(57)【要約】 【課題】  複数のシートの複写部に写された記載事項や捺印の印影が、各シートを重ね合わせて剥離可能に接着した接着剤によって、剥がされたり、不鮮明になるのを防ぐ。【解決手段】  隠蔽シール書面１は、役所等保管用シート２の表面２ａの片側のハガキ相当域に、その外周三辺に沿って剥離可能な糊７ａ，７ｂが塗布され、裏面４ｂを役所等保管用シート２の表面２ａに向けて重ね合わせた申込者控用シート４が、糊によって役所等保管用シート２に仮接着され、金融機関保管用シート３は、裏面３ｂを役所等保管用シート２の表面２ａに向けて役所保管用シート２と申込者保管用シート４の間に挿入され、外周縁部が糊の塗布領域の内側に位置されて、四辺のうちの一辺が接続辺３ｃとして役所等保管用シート２に分離可能な接続部１２を介して仮付けされ、各シート２，３，４は役所等保管用シート２の裏面２ｂ側を外側にしてハガキ大に二つ折りして構成される。【選択図】      図５
2005104047.tif 000002
【特許請求の範囲】
【請求項１】
ハガキを横方向に２枚接続した大きさを有し、表面に個人情報を複写する複写部が設けられ、裏面における片側のハガキ相当領域に宛先を記載した宛先記載部が設けられた役所等が保管するための役所等保管用シートと、該役所等保管用シートより所定寸法だけ小さく形成され、表面に前記個人情報を複写する複写部が設けられた金融機関が保管するための金融機関保管用シートと、前記役所保管用シートと同じ大きさを有し、表面に前記個人情報を記入する個人情報記入部が設けられた申込者控用シートとを備えた隠蔽シール書面において、
前記役所等保管用シートの表面における片側のハガキ相当領域に、その外周縁部の１つの長辺と２つの短辺に沿って剥離可能な糊が塗布され、裏面側を役所等保管用シートの表面側に向けて重ね合わせた前記申込者控用シートが、前記糊によって前記役所等保管用シートに仮接着され、前記金融機関保管用シートは、その裏面側を前記役所等保管用シートの表面側に向けて該役所等保管用シートと前記申込者控用シートとの間に挿入され、外周縁部が前記糊の塗布された領域の内側に位置されて、四辺のうちのいずれか一辺が接続辺として前記役所等保管用シートに対し分離可能な接続部を介して仮付けされ、さらに、前記各シートは前記役所等保管用シートの裏面側を外側にしてハガキの大きさになるように二つ折りしてなることを特徴とする隠蔽シール書面。
【請求項２】
前記分離可能な接続部は、前記金融機関保管用シートの接続辺の内側に沿って金融機関保管用シートと前記役所等保管用シートとにわたって塗布され、それらのシートを接着する接着糊と、該糊の塗布された位置の内側において金融機関保管用シートに前記接続辺に沿って設けた切り離し用ミシン目とで構成されていることを特徴とする請求項１に記載の隠蔽シール書面。
【請求項３】
前記分離可能な接続部は、前記金融機関保管用シートの接続辺の内側に沿うようにして金融機関保管用シートと前記役所等保管用シートの一方にスポット状に塗布された接着糊により、それらのシートを接続した構成とされていることを特徴とする請求項１に記載の隠蔽シール書面。
【請求項４】
前記申込者控用シートと同じ大きさに形成されて該申込者控用シートに連結されており、申込者控用シートの表面に対面する裏面に前記個人情報記入部への記入例が記載された記入例シートを備えていることを特徴とする請求項１〜３のいずれかに記載の隠蔽シール書面。
【発明の詳細な説明】
【技術分野】
【０００１】
本発明は、複写用シートを有し、記入情報とその複写情報を隠蔽状態で取り扱うことができる隠蔽シール書面に関する。
【背景技術】
【０００２】
役所、電力会社やガス会社等（以下、「役所等」という）においては、住民や契約者（以下、「申込者」という）からの税金や料金等の納付金の払い込みを、口座自動引き落とし、口座自動振り替えで行うための申込みをハガキで受け付けるようにしている。このため、上記役所等では、払い込みについての案内書、その他の書面と共に、表面に役所等の返信先（宛先）を記載した返信ハガキの裏面に、金融機関名、口座番号、申込者の氏名、その他の情報を含む所要事項を記入する記入欄（個人情報記入部）を設けた書面を組み合わせたものを用意して申込者に送付し、申込者が上記書面に必要事項を記入した後役所等に返信してもらうようにしている。上記返信書面は、それに記載されている申込者の個人情報が第三者に容易に知られないように、通常、複数枚の個人情報の記載書面を内側にして密閉状に接合した状態の隠蔽シール書面として返信できるようになっている。
従来、この種の隠蔽シール書面として、表面に宛先表示部を印刷し、裏面に粘着部を設けた第１シートと、表面に粘着部を有し、裏面に後記の個人情報記入部に記入される情報を写す複写部を有して役所等が保管する第２シートと、表面に個人情報記入部を有し、裏面に発色剤層を有して金融機関が保管する第３シートと、表面に複写カーボンを有し裏面に前記個人情報記入部に記入される情報を写す顕色層を有して住民等が保管する第４シートとからなる４枚のシートを横一連に連接した葉書シートを備え、住民等が前記第３シートと第４シートとを前記第２シートの裏面側へ巻き折りした後に、前記第３シートの個人情報記入部に所要事項を記入すると、第３シートの裏面の発色層によって第４シートの顕色層に前記所定事項が複写されると共に、第４シートの表面の複写カーボンによって第２シートの裏面に前記所定事項が複写されるので、申込者は、第４シートを第３シートから切り離して、それを自己の保管用書面とし、第３シートをその表面が第２シートの表面に合わせられるように折り曲げて、第２シートの表面にその粘着部によって第３シートの表面（個人情報記入部側）を剥離可能に接着すると共に、第１シートをその裏面が第２シートの裏面に合わせられるように折り曲げて、第１シートをその粘着部によって第２シートの裏面（複写部側）に剥離可能に接着して、第１、第２、第３シートのＺ折りで重ね合わせてなる葉書シートを役所等に返信するようにしたものが知られている（例えば、特許文献１参照。）。
【特許文献１】特開２０００−２８０６５８号公報（図１〜図４）
【発明の開示】
【発明が解決しようとする課題】
【０００３】
上記従来の隠蔽シール書面は、複数の複写手段によって、自己保存用の第４シートと役所等保存用の第２シートに、金融機関保管用の第３シートの個人情報記入部に記入した個人情報が同時に複写されて便利である反面、第２シートの個人情報の複写部に写された記載事項面や第３シートの個人情報記入部に記入された記載事項面が、第１シートの裏面と第２シートの表面の剥離紙を剥ぎ取ることによって粘着面をそれらのシートの全面に現した粘着層に接触した状態で、第１シートの裏面と第２シートの裏面が接着され、第２シートの表面と第３シートの表面とが剥離可能に接着されるようになっているので、前記個人情報の記載事項面を開くため、第２シートから第１シートと第３シートを剥がす際（開封時）に、第２シートの複写部に写された個人情報の記載事項や第３シートの記入された個人情報の記載事項、金融機関への届出印欄に捺印した印影が、前記粘着層に付着してそれらの記載事項や印影が剥がされたり、不鮮明になるおそれがあった。また、前記粘着層には保護材としての剥離シートが貼着されているので、葉書シートを役所等に返送する際に該剥離シートを剥がす作業をしなければならず、取り扱いが面倒である等の問題があった。
【０００４】
本発明は、上記事情に鑑みてなされたものであって、開封時に、複数のシートに記載され、または複写された個人情報の記載事項や捺印の印影が、各シートを重ね合わせて剥離可能に接着した接着剤によって、剥がされたり、不鮮明になったりすることがなく、取り扱いも容易に行える隠蔽シール書面を提供することを目的とする。
【課題を解決するための手段】
【０００５】
本発明は、前記課題を解決するために、以下の点を特徴としている。
すなわち、請求項１に係る隠蔽シール書面は、ハガキを横方向に２枚接続した大きさを有し、表面に個人情報を複写する複写部が設けられ、裏面における片側のハガキ相当領域に宛先を記載した宛先記載部が設けられた役所等が保管するための役所等保管用シートと、該役所等保管用シートより所定寸法だけ小さく形成され、表面に前記個人情報を複写する複写部が設けられた金融機関が保管するための金融機関保管用シートと、前記役所保管用シートと同じ大きさを有し、表面に前記個人情報を記入する個人情報記入部が設けられた申込者控用シートとを備えた隠蔽シール書面において、
前記役所等保管用シートの表面における片側のハガキ相当領域に、その外周縁部の１つの長辺と２つの短辺に沿って剥離可能な糊が塗布され、裏面側を役所等保管用シートの表面側に向けて重ね合わせた前記申込者控用シートが、前記糊によって前記役所等保管用シートに仮接着され、前記金融機関保管用シートは、その裏面側を前記役所等保管用シートの表面側に向けて該役所等保管用シートと前記申込者控用シートとの間に挿入され、外周縁部が前記糊の塗布された領域の内側に位置されて、四辺のうちのいずれか一辺が接続辺として前記役所等保管用シートに対し分離可能な接続部を介して仮付けされ、さらに、前記各シートは前記役所等保管用シートの裏面側を外側にしてハガキの大きさになるように二つ折りしてなることを特徴としている。
【０００６】
この隠蔽シール書面においては、前記申込者控シートと記入例シートを見開き状態として、申込者が記入例シートを見ながら申込者控用シートの個人情報記入部に個人情報に関する所要事項を記入すると、記入した所要事項は前記金融機関保管用シートと役所等保管用シートの各複写部に複写される。そこで、申込者は金融機関保管用シートと役所等保管用シートの各複写部における所定個所に金融機関への届出印を朱肉で捺印した後、申込者控用シートを役所等保管用シートからその外周縁部に塗布した剥離可能な糊による接着部を剥がすことにより分離し、前記役所等保管用シートと金融機関保管用シートとを、役所等保管用シートの宛先記載部側が外側になり、金融機関保管用シートの複写部が内側になるように、ハガキの大きさに二つ折りし、かつ該折り込み辺部を除く三辺を前記役所等保管用シートの糊部で仮接着して役所等に返信する。役所等では受信したハガキ状の隠蔽シール書面を前記糊部を剥がして見開き、前記役所保管用シートの一辺に仮付けされた金融機関保管用シートを前記分離可能な接続部から切り離した後、金融機関に回送し、役所保管用シートをその記載事項を確認して保管する。
【０００７】
この隠蔽シール書面によれば、申込者によって前記役所等保管用シートと金融機関保管用シートとをハガキシートとして役所等に返信された隠蔽シール書面は、二つ折りされた役所等保管用シートがその外周の三辺部で剥離可能な糊で仮接着され、かつ金融機関保管用シートが役所等保管用シートにおける糊の無い領域に収められているので、前記役所等保管用シートと金融機関保管用シートの各複写部のシート面と前記糊が接触することがなく、隠蔽シール書面を見開いたとき、金融機関保管用シートと役所等保管用シートの各複写部に複写された個人情報に関する記載事項と、捺印された届出印の印影とが前記糊に付着して汚損されたり、剥がされたりして不鮮明になることが確実に防止される。
また、従来の隠蔽シール書面のように、前記糊の粘着部分にそれを保護するための剥離シートを付着させていないので、申込者がハガキシートを作成して役所等に返信する際に、それらの剥離シートを剥がす作業が不要である。
【０００８】
請求項２に係る隠蔽シール書面は、請求項１に記載の隠蔽シール書面において、前記分離可能な接続部は、前記金融機関保管用シートの接続辺の内側に沿って金融機関保管用シートと前記役所等保管用シートとにわたって塗布され、それらのシートを接着する接着糊と、該糊の塗布された位置の内側において金融機関保管用シートに前記接続辺に沿って設けた切り離し用ミシン目とで構成されていることを特徴とことを特徴としている。
この隠蔽シール書面においては、金融機関保管用シートがそれに設けた切り離し用ミシン目を利用することによって、役所等保管用シートから容易に分離される。
【０００９】
請求項３に係る隠蔽シール書面は、請求項１に記載の隠蔽シール書面において、前記分離可能な接続部は、前記金融機関保管用シートの接続辺の内側に沿うようにして金融機関保管用シートと前記役所等保管用シートの一方にスポット状に塗布された接着糊により、それらのシートを接続した構成とされていることを特徴としている。
この隠蔽シール書面においては、前記金融機関保管用シートが役所等保管用シートにスポット状に塗布された接着糊で部分的に接続されているだけであるので、役所等保管用シートから金融機関保管用シートを剥がすことによって両者が簡単に分離される。
【００１０】
請求項４に係る隠蔽シール書面は、請求項１〜３のいずれかに記載の隠蔽シール書面において、前記申込者控用シートと同じ大きさに形成されて該申込者控用シートに連結されており、申込者控用シートの表面に対面する裏面に前記個人情報記入部への記入例が記載された記入例シートを備えていることを特徴としている。
この隠蔽シール書面においては、前記記入例シートが申込者控用シートに重ね合わせて連結されているので、それらを見開いたとき、記入例シートの記載例を見ながら、申込者控用シートへの記入が間違いなく行える。
【発明の効果】
【００１１】
本発明によれば、以下の優れた効果を奏する。
請求項１に係る隠蔽シール書面によれば、申込者によって役所等保管用シートと金融機関用保管シートとをハガキシートとして役所等に返信された隠蔽シール書面は、二つ折りされた役所等保管用シートがその外周の三辺部で剥離可能な糊で仮接着され、かつ金融機関保管用シートが役所等保管用シートにおける糊の無い領域に収められているので、前記役所等保管用シートと金融機関保管用シートの各複写部のシート面と前記糊が接触することがなく、隠蔽シール書面を見開いたとき、金融機関保管用シートと役所等保管用シートの各複写部に複写された個人情報に関する記載事項と、捺印された届出印の印影とが前記糊に付着して汚損されたり、剥がされたりして不鮮明になることを確実に防止することができる。
また、従来の隠蔽シール書面のように、前記糊の粘着部分にそれを保護するための剥離シートを付着させていないので、申込者がハガキシートを作成して役所等に返信する際に、それらの剥離シートを剥がす作業が不要となり、取り扱いが容易である。
【００１２】
請求項２に係る隠蔽シール書面によれば、金融機関保管用シートをそれに設けた切り離し用ミシン目を利用することによって、役所等保管用シートから容易に分離することができる。
請求項３に係る隠蔽シール書面によれば、金融機関保管用シートが役所等保管用シートにスポット状に塗布された糊で部分的に接続されているだけであるので、前記役所等保管用シートから前記金融機関保管用シートを剥がすことによって両者を簡単に分離することができる。
請求項４に係る隠蔽シール書面によれば、記入例シートが申込者控用シートに重ね合わせて連結されているので、それらを見開いたとき、記入例シートの記載例を見ながら、申込者控用シートに間違いなく記入することができる。
【発明を実施するための最良の形態】
【００１３】
以下、本発明の実施の形態に係る隠蔽シール書面について、図面を参照して説明する。
図１〜図５は本発明の第１の実施の形態に係る隠蔽シール書面を示す。図１〜図５において、１は隠蔽シール書面である。この隠蔽シール書面１は、ハガキを横方向（図４、図５で上下方向）に２枚接続した大きさを有し、表面２ａに申込者の住所、氏名、金融機関名、口座番号、金融機関への届出印欄等の個人情報を含む所要事項を複写する感圧式の複写部２ａ１を設け、裏面２ｂにおける折り込み線Ｌ１を境にして片側のハガキ相当の領域に役所等の宛先を記載した宛先記載部２ｂ１を設けた役所等保管用シート２と、該役所等保管用シートより所定寸法だけ小さく形成され、表面３ａに前記個人情報を複写する感圧式の複写部３ａ１が設けられた金融機関が保管するための金融機関保管用シート３と、前記役所等保管用シートと同じ大きさを有し、表面４ａに前記個人情報を記入する申込者記入部としての個人情報記入部４ａ１が設けられた申込者控用シート４と、該申込者控用シート４と同じ大きさに形成されて、表面５ａに料金納付等に関する案内を記載した案内事項掲載部５ａ１を設け、前記申込者控用シート４の表面４ａに対面する裏面５ｂに前記個人情報記入部４ａ１への記入例を記載した記入例掲載部５ｂ１を設けた記入例シート５とを備えている。
【００１４】
前記役所等保管用シート２は、その表面２ａにおける片側のハガキ相当域６（図５に示す例では、裏面２ｂの宛先記載部２ｂ１に対応する側（図５で上側）の領域）に、その外周縁部の１つの長辺と２つの短辺に沿って剥離可能な粘着型の糊７ａ、７ｂ，７ｂがコの字状に塗布されている。そして、前記申込者控用シート４は、その裏面４ｂ側を役所等保管用シート２の表面２ａ側に向けて役所等保管用シート４に重ね合わせて、前記糊７ａ，７ｂ，７ｂによって該役所等保管用シート４に仮接着されている。なお、前記申込者控用シート４の裏面４ｂには、前記役所等保管用シート２に塗布された前記糊７ａ，７ｂ，７ｂに対面する外周縁領域に、剥離ニス８ａ，８ｂ，８ｂが塗布され、役所等保管用シート２に糊７ａ，７ｂ，７ｂで仮接着された申込者控用シート４が役所等用保管シート２から剥離し易いようになっている。なお、役所等保管用シート２の外周部には、前記糊７ａ，７ｂ，７ｂの内側の位置において四辺に平行に沿って切り離し用ミシン目９が設けられ、糊７ａ，７ｂ，７ｂの付着した部分を含む外周縁部を役所等保管用シート２から切り離すようになっている。
【００１５】
また、前記金融機関保管用シート３は、その裏面３ｂ側を前記役所等保管用シート２の表面２ａ側に向けて該役所保管用シート２と前記申込者控用シート４との間に挿入され、外周縁部が前記糊７ａ，７ｂ，７ｂの塗布されたコの字状の領域の内側に位置されて、四辺のうちのいずれか一辺（図５で左辺）が接続辺３ｃとして、前記役所等保管用シート２に対して接着糊１０によって接着されている。該接着糊１０は前記糊７ｂの内側において、役所等保管用シート２における前記接続辺３ｃに対応する辺（図５で左辺）２ｃに沿って、金融機関保管用シート３と前記役所等保管用シート２とにわたって破線状に塗布されている。さらに、前記金融機関保管用シート３には、前記接続辺３ｃに沿って前記接着糊１０より内側の位置に切り離し用ミシン目１１が設けられている。該切り離し用ミシン目１１は、前記役所等保管用シート２の辺２ｃ側の切り離し用ミシン目９の位置に一致されている。
前記接着糊１０と前記切り離し用ミシン目１１は前記金融機関保管用シート３を前記役所等保管用シート２に分離可能に仮付けする接続部１２を構成している。
【００１６】
前記記入例シート５は、前記申込者控用シート４と一体の１枚の見開きシートを折り込み線Ｌ２で二つ折りして、その折り込み線Ｌ２を境にして申込者控用シート４と反対側のシートで形成されている。前記役所等保管用シート２、金融機関保管用シート３、申込者控用シート４および記入例シート５は、それらが重ね合わせられた状態で、前記役所等保管用シート２の裏面２ｂ側を外側にしてハガキの大きさになるように、前記折り込み線Ｌ１の部分で二つ折りされるようになっている。なお、前記各シート２，３，４，５は前記折り込み線Ｌ１に一致して折り込み用ミシン目が設けられて、それらの二つ折りがし易いようになっている。なお、前記役所等保管用シート２の裏面２ｂにおける宛先記載部２ｂ１がある側と反対側のハガキ相当領域２ｄには、役所等保管用シート２と金融機関保管用シート３を二つ折りして閉じたときに、役所等保管用シート２の表面２ａ側と金融機関保管用シート３に複写された個人情報に関する記載事項を第三者が透かして見ることができないように模様２ｂ２が印刷して設けられている。
【００１７】
前記のように構成された隠蔽シール書面１においては、申込者が、前記申込者控シート４と記入例シート５を見開き状態として、記入例シート５を見ながら申込者控用シート４の個人情報記入部４ａ１に個人情報に関する所要事項を記入すると、記入した所要事項は前記金融機関保管用シート３の複写部３ａ１と役所等保管用シート２の複写部２ａ１に複写される。そこで、申込者は金融機関保管用シート３と役所等保管用シート２の各複写部３ａ１，２ａ１における所定個所に金融機関への届出印を朱肉で捺印した後、申込者控用シート４を役所等保管用シート２からその外周縁部に塗布した剥離可能な糊部７ａ，７ｂ，７ｂによる接着部を剥がすことにより分離し、前記役所等保管用シート２と金融機関保管用シート３とを、役所等保管用シート２の宛先記載部２ｂ１側（模様２ｂ２側）が外側になり、金融機関保管用シート３に複写部３ａ１側（役所等保管用シート２の複写部２ａ１側）が内側になるように、前記折り込み線Ｌ１でハガキの大きさに二つ折りし、かつ該折り込み線Ｌ１に沿う辺を除く三辺の縁部において前記役所等保管用シート２の表面２ａ側同士を前記糊７ａ，７ｂ，７ｂ部で仮接着して役所等に返信する。役所等では受信したハガキ状の隠蔽シール書面１を前記糊７ａ，７ｂ，７ｂ部を剥がして見開き、前記役所等保管用シート２の一辺２ｃに仮付けされた金融機関用保管シート３を前記切り離し用ミシン目１１（分離可能な接続部１２）から切り離した後、金融機関に回送し、役所保管用シート２をその記載事項を確認して保管する。
【００１８】
前記第１の実施の形態に係る隠蔽シール書面１によれば、申込者によって前記役所等保管用シート２と金融機関保管用シート３とをハガキシートとして役所等に返信された隠蔽シール書面１は、二つ折りされた役所等保管用シート２がその外周の三辺の縁部で剥離可能な糊７ａ，７ｂ，７ｂで仮接着され、かつ金融機関保管用シート３が役所等保管用シート２における糊７ａ，７ｂ，７ｂの無い領域に収められているので、前記役所等保管用シート２と金融機関用保管シート３の各複写部２ａ１，３ａ１のシート面と前記糊７ａ，７ｂ，７ｂが接触することがなく、隠蔽シール書面１を見開いた（開封した）とき、金融機関保管用シート３と役所等保管用シート２の各複写部２ａ１，３ａ１に複写された個人情報に関する記載事項と、捺印された届出印の印影とが前記糊７ａ，７ｂ，７ｂに付着して汚損されたり、剥がされたりして不鮮明になることを確実に防止することができる。また、従来の隠蔽シール書面のように、前記糊７ａ，７ｂ，７ｂの粘着部分にそれを保護するための剥離シートを付着させていないので、申込者がハガキシートを作成して役所等に返信する際に、それらの剥離シートを剥がす作業が不要であり、取り扱いが容易である。
また、金融機関保管用シート３がそれに設けた切り離し用ミシン目１１を利用することによって、役所等保管用シート２から容易に分離させることができる。
また、前記記入例シート５が、前記申込者控用シート４と一体の１枚の見開きシートを二つ折りすることにより形成されるので、記入例シート５と申込者控用シート４をそれぞれ単票として作成して、それらを糊付けする必要がなく、隠蔽シール書面１の製造を容易に行うことができる。
【００１９】
次に、本発明の第２の実施の形態に係る隠蔽シール書面について図６〜図１０を参照して説明する。
この実施の形態に係る隠蔽シール書面１５は、前記隠蔽シール書面１の記入例シート５が、申込者控用シート４と一体に連結された１枚の見開きシートを前記折り込み線Ｌ２で二つ折りして、その片半部として形成されているのに対して、申込者控用シート４Ａと記入例シート５Ａとが個別の単票として形成され、それらのシート４Ａ，５Ａとを重ね合わせて、各シート４Ａ，５Ａの短辺側（ハガキシートの縦辺側）の側辺１６，１７（図１０で左側辺）の辺部同士を接着糊１８で接着されている点で、第１の実施形態に係る隠蔽シール書面１と相違している。さらに、前記隠蔽シール書面１の金融機関保管用シート３が前記接着糊１０と前記切り離し用ミシン目１１とからなる接続部１２を介して前記役所等保管用シート２に分離可能に仮付けされているのに対して、金融機関保管用シート３Ａが、役所等保管用シート２の一辺（図１０で左辺）に沿ってスポット状に塗布された接着糊１９で役所等保管用シート２に仮付けされている点で、第１の実施形態に係る隠蔽シール書面１と相違している。その他は、第１の実施形態に係る隠蔽シール書面１と同一であるので、同一の構成部分には同一の符号を付して、それらの説明は省略する。
前記接着糊１９は前記金融機関保管用シート３Ａを役所等保管用シート２から切り離し可能に仮付けする接続部１２を構成している。
なお、図１、図４、図５と図６、図９、図１０とでは、左右、上下の関係が９０°転換した状態で図示されており、前記コの字状に塗布された糊７ａ，７ｂ，７ｂに対する前記接着糊１９の塗布ラインの関係も９０°転換した位置関係となっている。
【００２０】
第２の実施の形態に係る隠蔽シール書面１５によれば、第１の実施の形態に係る隠蔽シール書面１と同様に、申込者によって前記役所等保管用シート２と金融機関保管用シート３Ａとをハガキシートとして役所等に返信された隠蔽シール書面１５は、二つ折りされた役所等保管用シート２がその外周の三辺の縁部で剥離可能な糊７ａ，７ｂ，７ｂで接着され、かつ金融機関保管用シート３Ａが役所等保管用シート２における糊７ａ，７ｂ，７ｂの無い領域に収められているので、前記役所等保管用シート２と金融機関保管用シート３Ａの各複写部２ａ１，３ａ１のシート面と前記糊７ａ，７ｂ，７ｂが接触することがなく、隠蔽シール書面１５を見開いた（開封した）とき、金融機関保管用シート３Ａと役所等保管用シート２の各複写部２ａ１，３ａ１に複写された個人情報に関する記載事項と、捺印された届出印の印影とが前記糊７ａ，７ｂ，７ｂに付着して汚損されたり、剥がされたりして不鮮明になることを確実に防止することができる。
【００２１】
また、従来の隠蔽シール書面のように、前記糊７ａ，７ｂ，７ｂの粘着部分にそれを保護するための剥離シートを付着させていないので、申込者がハガキシートを作成して役所等に返信する際に、それらの剥離シートを剥がす作業が不要であり、取り扱いが容易である。
また、金融機関保管用シート３Ａが役所等保管用シート２にスポット状に塗布された接着糊１９で部分的に接続されているだけであるので、前記役所等保管用シート２から前記金融機関保管用シート３Ａを剥がすことによって両者を簡単に分離することができる。
また、前記申込者控用シート４Ａと記入例シート５Ａが、役所等保管用シート２と金融機関保管用シート３Ａと同様に単票として扱えるので、見開きシートを二つ折りする作業が不要となり、隠蔽シール書面１５の各シートの重ね合わせ作業を円滑に行うことができる。
【００２２】
なお、前記各実施の形態に係る隠蔽シール書面１，１５においては、前記記入例シート５，５Ａを申込者控用シート４，４Ａに重ね合わせて連結されているので、それらを見開いたとき、記入例シート５，５Ａの記載例を見ながら、申込者控用シート４，４Ａに間違いなく記入することができて好ましいが、前記記入例シート５，５Ａは必要に応じて省略することができる。また、前記金融機関保管用シート３，３Ａを役所等保管用シート２における図５、図１０での左辺２ｃに沿って設けた接続部１２（接着糊１０と切り離し用ミシン目１１またはスポット状の接着糊１９）によって、役所等保管用シート２に仮付けしたが、前記接続部１２は他の三辺のうちのいずれか一辺に設けてもよい。
【図面の簡単な説明】
【００２３】
【図１】本発明の第１の実施の形態に係る隠蔽シール書面を示す平面図である。
【図２】図１のイ−イ断面図である。
【図３】図２のロ−ロ断面図である。
【図４】図２のハ矢視図である。
【図５】本発明の第１の実施の形態に係る隠蔽シール書面のシートの組み合わせ状態を示す斜視図である。
【図６】本発明の第２の実施の形態に係る隠蔽シール書面を示す平面図である。
【図７】図６のニ−ニ断面図である。
【図８】図６のホ−ホ断面図である。
【図９】図７のヘ矢視図である。
【図１０】本発明の第２の実施の形態に係る隠蔽シール書面のシート組み合わせ状態を示す斜視図である。
【符号の説明】
【００２４】
１，１５  隠蔽シール書面
２  役所等保管用シート
２ａ１，３ａ１  複写部
２ｂ１  宛先記載部
３，３Ａ  金融機関保管用シート
４，４Ａ  申込者控用シート
４ａ１  個人情報記入部
５，５Ａ  記入例シート
５ｂ１  記入例掲載部
７ａ，７ｂ  糊
８ａ，８ｂ  剥離ニス
９，１１  切り離し用ミシン目
１０，１８，１９  接着糊
１２  接続部
Ｌ１，Ｌ２  折り込み線
【図１】
2005104047.tif 000003
【図２】
2005104047.tif 000004
【図３】
2005104047.tif 000005
【図４】
2005104047.tif 000006
【図５】
2005104047.tif 000007
【図６】
2005104047.tif 000008
【図７】
2005104047.tif 000009
【図８】
2005104047.tif 000010
【図９】
2005104047.tif 000011
【図１０】
2005104047.tif 000012